(57)【要約】【課題】 視聴者の位置情報・嗜好情報に基いてコンテンツを配信するデジタル放送システムにおいて、視聴者の位置情報および趣味嗜好情報等のプライバシー情報が漏洩しにくいデジタル放送システムおよびデジタル放送方法を提供する。【解決手段】  視聴者の位置情報とデータ放送のＥＰＧとがＵＩＭ１１０に伝送され、ＵＩＭ１１０に実装されたコンテンツ選択アプリケーション１２０は、コンテンツ選択条件１３０（位置情報・嗜好情報）に対応するコンテンツを前記ＥＰＧの中から選択する。選択したコンテンツを要求するリクエスト情報は、携帯電話会社２００を介してデジタル放送局３００に送信され、デジタル放送局３００は前記リクエスト情報に対応するコンテンツを配信する。コンテンツの選択処理はＵＩＭ１１０で秘匿に行なわれるため、視聴者の情報（例えば、位置情報・嗜好情報）が漏洩する可能性は極めて低くなる。【選択図】      図１
2006019924.tif 000002
【特許請求の範囲】
【請求項１】
視聴者が所持しデジタル放送を受信するデジタル放送受信端末に組み込まれるデータキャリア内部で、視聴者が受信するコンテンツを選択するデジタル放送システムであって、前記デジタル放送受信端末に組み込まれる前記データキャリアは、デジタル放送で提供されるコンテンツの一覧情報を含むコンテンツ案内情報の中から、コンテンツを選択する条件を記憶したコンテンツ選択条件に基いてコンテンツを選択するコンテンツ選択手段を備え、前記デジタル放送受信端末は、前記コンテンツ選択手段で選択したコンテンツの配信を要求するリクエスト情報をネットワークを利用して送信する通信手段とを備え、デジタル放送を利用して提供するコンテンツ提供者は、前記リクエスト情報に基くコンテンツを前記デジタル放送受信端末に配信することを特徴とするデジタル放送システム。
【請求項２】
請求項１に記載のデジタル放送システムであって、前記コンテンツ選択条件の一つは視聴者の位置情報であり、前記コンテンツ選択手段は前記位置情報に基いてコンテンツを選択する機能を備えていること特徴とするデジタル放送システム。
【請求項３】
請求項２に記載のデジタル放送システムであって、前記デジタル放送受信端末には、位置情報を検出する位置検出手段を備えていることを特徴とするデジタル放送システム。
【請求項４】
請求項１から請求項３の発明のいずれかひとつに記載のデジタル放送システムであって、前記コンテンツ選択条件の一つは視聴者の嗜好情報であり、前記コンテンツ選択手段は、前記データキャリアに記憶された前記嗜好情報に基いてコンテンツを選択する機能を備えていることを特徴するデジタル放送システム。
【請求項５】
デジタル放送でコンテンツを提供するコンテンツ提供者と、視聴者が所持し前記デジタル放送を受信するデジタル放送受信端末と、前記デジタル放送受信端末に組み込まれるデータキャリアと、前記デジタル放送受信端末から送信される情報を中継して前記コンテンツ提供者に送信する通信事業者とからなるデジタル放送方法において、前記コンテンツ提供者がデジタル放送で提供するコンテンツの一覧情報を含むコンテンツ案内情報を受信するコンテンツ案内情報受信ステップ、前記データキャリアが、前記コンテンツ案内情報の中から、コンテンツを選択する条件を記憶したコンテンツ選択条件に基いてコンテンツを選択するコンテンツ選択ステップ、前記デジタル放送受信端末が前記通信事業者に選択したコンテンツを要求する情報であるコンテンツ要求情報を送信するコンテンツ要求情報送信ステップ、前記通信事業者が前記コンテンツ提供者に前記コンテンツ要求情報を転送するコンテンツ要求情報転送ステップ、前記コンテンツ提供者が前記コンテンツ要求情報に対応したコンテンツを配信するコンテンツ配信ステップとを含むことを特徴するデジタル放送方法。
【請求項６】
請求項５に記載されたデジタル放送方法であって、前記コンテンツ選択ステップは、前記デジタル放送受信端末が位置情報を検出するステップ、前記データキャリアが前記コンテンツ案内情報の中から、前記位置情報に対応するコンテンツを選択するステップを含むことを特徴とするデジタル放送方法。
【請求項７】
請求項５に記載されたデジタル放送方法であって、前記コンテンツ選択ステップは、前記データキャリアが前記コンテンツ案内情報の中から、前記データキャリア内に記憶された視聴者の嗜好情報に対応するコンテンツを選択するステップを含むことを特徴とするデジタル放送方法。
【請求項８】
デジタル放送で提供されるコンテンツの一覧情報を含むコンテンツ案内情報の中から、前記コンテンツ選択条件に基いてコンテンツを選択するアプリケーションを実装されたことを特徴とするデータキャリア。
【発明の詳細な説明】
【技術分野】
【０００１】
本発明は、放送衛星等を用いたデジタル放送システムの技術分野に関し、更に詳しくはＩＣカードを利用し、視聴者の趣味嗜好に合わせたコンテンツを配信するデジタル放送システムおよびデジタル放送方法に関する。
【背景技術】
【０００２】
これまでテレビ番組等はアナログ方式で放送されていたが、近年のデジタル技術の進歩に伴い、放送用の人工衛星（Broadcasting Satellite）もしくはデジタル放送タワーを利用して、テレビ番組等もデジタル方式で放送されるようになった。テレビ番組等のコンテンツをデジタル方式で放送するデジタル放送では、コンテンツを圧縮して送信することで、番組の多チャンネル化・番組の高画質化が図れる。
【０００３】
加えて、デジタル放送では、番組に関する情報や番組とは独立した情報などもあわせて伝送するデータ放送も実施されている。データ放送においては、デジタル放送の受信機を電話回線等のネットワークを利用してデジタル放送局と接続することで、デジタル放送局と視聴者間の双方向通信を行ない、視聴者はデータ放送から天気予報やニュースなどの必要な情報を任意に引き出すことができる。
【０００４】
このデータ放送に関する技術を利用して、視聴者の位置情報または趣味嗜好に応じて、コンテンツを配信するデジタル放送システムが考案されている。
【０００５】
例えば、特許文献１においては、視聴者は位置検出手段を備えた携帯電話を所持し、携帯電話から放送事業者に視聴者の位置情報を送信し、放送事業者は前記位置情報に基く番組情報をデータベースから探索し、探索した番組情報を前記視聴者が所持しているデジタル放送受信機に送信することで、視聴者は外出先に関連した番組を視聴できる。
【０００６】
また、特許文献２においては、デジタル放送局は視聴者から受け取った趣味嗜好情報を集計し、視聴者全体としての趣味嗜好の傾向を割り出し、放送する放送番組情報にフィードバックする機能を備えたデジタル放送システムを開示している。
【特許文献１】特開２００２−２９０３５４号公報
【特許文献２】特開２００２−３１５０２３号公報
【発明の開示】
【発明が解決しようとする課題】
【０００７】
しかしながら、前述の発明においては、視聴者は位置情報または趣味嗜好情報をデジタル放送局等の情報提供者に送信するため、前記情報提供者に視聴者の位置情報または趣味嗜好情報が把握され、視聴者の位置情報または趣味嗜好情報が前記情報提供者に悪用される可能性がある。例えば、視聴者の位置情報または趣味嗜好情報が悪用されると、視聴者の位置情報または趣味嗜好情報に基くダイレクトメールが、視聴者が要求していないにも係わらず、視聴者に届くこともある。
【０００８】
そこで、本発明は上記課題を鑑みて、位置情報および趣味嗜好情報等のプライバシー情報に基いてコンテンツを配信するデジタル放送システムにおいて、位置情報および趣味嗜好情報等のプライバシー情報が漏洩しにくいデジタル放送システムおよび方法を提供することを目的とする。
【課題を解決するための手段】
【０００９】
上述の課題を解決する第１の発明は、視聴者が所持し、デジタル放送を受信するデジタル放送受信端末に組み込まれるデータキャリア内部で、視聴者が受信するコンテンツを選択するデジタル放送システムであって、前記デジタル放送受信端末に組み込まれる前記データキャリアは、デジタル放送で提供されるコンテンツの一覧情報を含むコンテンツ案内情報の中から、コンテンツを選択する条件を記憶したコンテンツ選択条件に基いてコンテンツを選択するコンテンツ選択手段を備え、前記デジタル放送受信端末は、前記コンテンツ選択手段で選択したコンテンツの配信を要求するリクエスト情報をネットワークを利用して送信する通信手段とを備え、デジタル放送を利用して提供するコンテンツ提供者は、前記リクエスト情報に基くコンテンツを前記デジタル放送受信端末に配信することを特徴とするデジタル放送システムである。
【００１０】
更に、第２の発明は、第１の発明に記載のデジタル放送システムであって、前記コンテンツ選択条件の一つは視聴者の位置情報であり、前記コンテンツ選択手段は前記位置情報に基いてコンテンツを選択する機能を備えていること特徴とするデジタル放送システムである。
【００１１】
更に、第３の発明は、第２の発明に記載のデジタル放送システムであって、前記デジタル放送受信端末には、位置情報を検出する位置検出手段を備えていることを特徴とするデジタル放送システムである。
【００１２】
更に、第４の発明は、第１の発明から第３の発明のいずれかひとつに記載のデジタル放送システムであって、前記コンテンツ選択条件の一つは視聴者の嗜好情報であり、前記コンテンツ選択手段は、前記データキャリアに記憶された前記嗜好情報に基いてコンテンツを選択する機能を備えていることを特徴するデジタル放送システムである。
【００１３】
更に、第５の発明は、デジタル放送でコンテンツを提供するコンテンツ提供者と、視聴者が所持し前記デジタル放送を受信するデジタル放送受信端末と、前記デジタル放送受信端末に組み込まれるデータキャリアと、前記デジタル放送受信端末から送信される情報を中継して前記コンテンツ提供者に送信する通信事業者とからなるデジタル放送方法において、前記コンテンツ提供者がデジタル放送で提供するコンテンツの一覧情報を含むコンテンツ案内情報を、前記デジタル放送受信端末が受信するコンテンツ案内情報受信ステップ、前記データキャリアが、前記コンテンツ案内情報の中から、コンテンツを選択する条件を記憶したコンテンツ選択条件に基いてコンテンツを選択するコンテンツ選択ステップ、前記デジタル放送受信端末が前記通信事業者に選択したコンテンツを要求する情報であるコンテンツ要求情報を送信するコンテンツ要求情報送信ステップ、前記通信事業者が前記コンテンツ提供者に前記コンテンツ要求情報を転送するコンテンツ要求情報転送ステップ、前記コンテンツ提供者が前記コンテンツ要求情報に対応したコンテンツを配信するコンテンツ配信ステップとを含むことを特徴するデジタル放送方法である。
【００１４】
更に、第６の発明は、第５の発明に記載されたデジタル放送方法であって、前記コンテンツ選択ステップは、前記デジタル放送受信端末が位置情報を検出するステップ、前記データキャリアが前記コンテンツ案内情報の中から、前記位置情報に対応するコンテンツを選択するステップを含むことを特徴とするデジタル放送方法である。
【００１５】
更に、第７の発明は、第５の発明に記載されたデジタル放送方法であって、前記コンテンツ選択ステップは、前記データキャリアが前記コンテンツ案内情報の中から、前記データキャリア内に記憶された視聴者の嗜好情報に対応するコンテンツを選択するステップを含むことを特徴とするデジタル放送方法である。
【００１６】
更に、第８の発明は、デジタル放送で提供されるコンテンツの一覧情報を含むコンテンツ案内情報の中から、前記コンテンツ選択条件に基いてコンテンツを選択するアプリケーションを実装されたことを特徴とするデータキャリアである。
【００１７】
本発明によれば、前記データキャリアが、前記デジタル放送受信端末が受信した前記コンテンツ案内情報の中から、前記コンテンツ選択条件に基いてコンテンツを選択するコンテンツ選択手段を備えることで、視聴者は、視聴者の位置情報・嗜好情報等のコンテンツ選択条件に基くコンテンツを受信できる。
【００１８】
加えて、前記データキャリア内で前記コンテンツ選択条件（視聴者の位置情報・嗜好情報等）に基いてコンテンツが選択されることで、前記コンテンツ選択条件（視聴者の位置情報・嗜好情報等）をダイレクトにデジタル放送会社等の情報提供者に送信する必要がなく、前記コンテンツ選択条件（視聴者の位置情報・嗜好情報等）が悪用される可能性は極めて低くなる。
【００１９】
ここで、前記データキャリアとは、前記データキャリア内に秘匿にデータを格納し、データを処理ができる媒体を意味し、前記データキャリアとしてはプラスチックカードに薄型のＩＣチップを実装したＩＣカード、ＩＣチップを含むＩＣカードの一部を短冊に切り取った形状であるＳＩＭ（Sucriber Identity Module）またはＵＩＭ（User Identity Module）が好適である。
【発明の効果】
【００２０】
これまで述べた本発明によれば、前記コンテンツ選択条件（視聴者の位置情報・嗜好情報等）に基いてコンテンツを選択する処理は前記データキャリア内で秘匿に行なわれるため、デジタル放送局等の情報提供者に視聴者のプライバシー情報（例えば、位置情報・嗜好情報）が漏洩する可能性は極めて低くなり、視聴者のプライバシー情報が悪用されることの少ないデジタル放送システムおよびデジタル放送方法を提供できる。
【発明を実施するための最良の形態】
【００２１】
本発明の実施の形態について、以下に、図を参照しながら詳細に説明する。図１は、本実施の形態に係わるデジタル放送システムを説明するための図である。
【００２２】
図１に示したように、本実施の形態に係わるデジタル放送システムは、視聴者が所持するデジタル放送受信端末として携帯電話１００と、デジタル放送でコンテンツを提供するコンテンツ提供者としてデジタル放送局３００と、デジタル放送の地上波を発信するデジタル放送タワー３１０と、携帯電話１００とデータ通信する通信事業者として携帯電話会社２００と、位置情報を検出するために使用される信号を発信しているＧＰＳ（Global Positioning System）人工衛星４００とから構成されている。
【００２３】
（デジタル放送の説明）
図１に示したように、デジタル放送局３００は、デジタル放送タワー３１０を利用して、番組等のコンテンツを配信すると共に、番組等のコンテンツとは独立したコンテンツを提供する「データ放送」も実施している。データ放送とは、天気予報やニュースなどの視聴者が要求するコンテンツを、視聴者がいつでも自由に引き出すことが出来るサービスである。データ放送においては、視聴者が所持する携帯電話１００とデジタル放送局３００とを携帯電話会社２００を介して接続することで、携帯電話１００とデジタル放送局３００との双方向通信を行なうことができる。
【００２４】
デジタル放送局３００は、データ放送で配信するコンテンツを蓄えたコンテンツデータベース３０１を供えている。デジタル放送局３００は携帯電話１００から送信されるリクエスト情報を受信すると、リクエスト情報に対応したコンテンツをコンテンツデータベース３０１から探索し、探索したコンテンツをデジタル放送タワー３１０を介して携帯電話１００に配信する。
【００２５】
加えて、デジタル放送局３００は、データ放送を利用して、デジタル放送で提供されるコンテンツの一覧情報を含むコンテンツ案内情報として、電子番組ガイド（Electoronic Program Guide、以下ＥＰＧと記す）を配信している。視聴者はＥＰＧを利用してコンテンツの一覧等のデータを見ることができ、またＥＰＧに含まれるコンテンツの付属データを利用して、ドラマの出演者や、コンテンツのジャンルなどを検索することもできる。
【００２６】
図２は、データ放送で配信されるＥＰＧを説明するための図である。図２（ａ）に示したように、データ放送で配信されるＥＰＧには、デジタル放送局３００を識別するデータとしてチャンネル番号５００と、チャンネル番号５００で示されるデジタル放送局３００がデータ放送で提供するコンテンツの情報として複数のコンテンツ情報５１０とを含んでいる。
【００２７】
図２（ａ）に示したように、一つのコンテンツ情報５１０には、コンテンツを識別するコンテンツ番号５１１と、コンテンツが関係する地域を示すデータとして地域コード５１２と、コンテンツのジャンルを示すジャンルコード５１３とが含まれている。
【００２８】
また、図２（ｂ）は、地域コード５１２を説明するための図である。本実施の形態における地域コード５１２とは、都道府県ごとに割り振られた連番の番号である。図２（ｃ）はジャンルコード５１３を説明するための図である。実施の形態１におけるジャンルコード５１３とは、データ放送で配信されるコンテンツの種類・種別を識別するためのコードである。
【００２９】
（携帯電話の説明）
本実施の形態に係わる携帯電話１００には、ＧＰＳ人工衛星４００の信号から携帯電話１００自身の位置情報を検出する位置検出手段１０１と、デジタル放送タワー３１０からのデジタル放送を受信するデジタル放送受信手段１０２と、無線を利用して携帯電話会社２００と通信する通信手段１０３とを備え、かつ携帯電話１００には、データキャリアとしてＵＩＭ１１０（User Identity Module) が組み込まれている。
【００３０】
図３は、ＵＩＭ１１０を説明するための図である。図３（ａ）に示したように、ＵＩＭ１１０とは、ＩＣカードの一部を短冊状に切り取った形状であり、図３（ｂ）に示したように、ＵＩＭ１１０は携帯電話１００の内部に組み込まれている。携帯電話１００にはＵＩＭ１１０とデータ通信するリーダライタ１０４が備えられ、リーダライタ１０４を介してＵＩＭ１１０とデータのやり取りする。
【００３１】
図４は、ＵＩＭ１１０に実装されるソフトウェアの構造を説明するための図である。ＵＩＭ１１０にはマルチアプリケーションＯＳが実装され、図４に示したように、アプリケーションとして、携帯電話１００が使用する携帯電話アプリケーション６００に加え、デジタル放送で使用するデジタル放送アプリケーション６１０が実装されている。
【００３２】
更に、デジタル放送アプリケーション６１０には、デジタル放送受信するために必要なＢ−ＣＡＳ（Broadcasting Satellite Conditional Access System）の機能を実現するＢ−ＣＡＳアプリケーション６２０と、コンテンツを選択するコンテンツ選択手段として、コンテンツ選択アプリケーション１２０が含まれている。
【００３３】
ここで、コンテンツ選択アプリケーション１２０とは、デジタル放送のデータ放送で配信されるＥＰＧから、コンテンツ選択条件１３０（視聴者の位置情報・嗜好情報等）に基いてコンテンツを選択するアプリケーションである。本実施の形態においては、コンテンツ選択条件１３０として、地域別のコードを記憶した地域コードファイル１３１と、視聴者の好みのジャンルを記憶したジャンルコードファイル１３２が、ＵＩＭ１１０内に記憶されている。
【００３４】
また、図５はコンテンツ選択アプリケーション１２０が使用するデータ、すなわちコンテンツ選択条件１３０を説明するための図である。図５（ａ）は、地域コードファイル１３１を説明するための図である。地域コードファイル１３１には、図２で説明した地域コードに関連付けて、地域コードの位置情報の範囲を数値的に記憶した地理情報が記憶されている。コンテンツ選択アプリケーション１２０は、地域コードファイル１３１を用いて、携帯電話１００の位置情報から地域コードを取得することができる。
【００３５】
図５（ｂ）は、ジャンルコードファイル１３２を説明するための図である。ジャンルコードファイル１３２は、視聴者の趣味嗜好に対応するジャンルコードを記憶したファイルである。ジャンルコードファイル１３２は、レコード形式型のファイルで、各レコード１３２ａには視聴者が要求するコンテンツのジャンルコード１３２ｂが一つ記憶されている。
【００３６】
図５（ｂ）においては、ジャンルコードファイル１３２のレコード番号１には「１０」が、レコード番号２には「０２」が、そしてレコード番号３には「０３」と記憶されている。図２（ｃ）によれば、視聴者が閲覧したいコンテンツのジャンルは、「紀行」、「情報番組」および「天気予報」であることを意味する。
【００３７】
コンテンツ選択アプリケーション１２０には、デジタル放送受信手段１０２が受信したＥＰＧと、位置検出手段１０１が検出した携帯電話１００の位置情報が入力され、コンテンツ選択アプリケーション１２０は、位置情報に対応する地域コードを地域コードファイル１３１から取得し、ジャンルコードをジャンルコードファイル１３２から取得する。そして、取得した地域コードとジャンルコードにそれぞれ一致するコンテンツ情報５１０をＥＰＧの中から選択する。
【００３８】
コンテンツ選択アプリケーション１２０は、コンテンツ情報５１０を選択すると、コンテンツ情報５１０を選択した結果を示すデータであるコンテンツ選択データをリーダライタ１０４に伝送する。このコンテンツ選択データには、少なくともデジタル放送局３００を特定するチャンネル番号と、前記チャンネル番号で配信されるコンテンツを特定するコンテンツ番号とが含まれる。
【００３９】
携帯電話１００は、ＵＩＭ１１０からコンテンツ選択データが伝送されると、コンテンツ選択データで特定されるコンテンツを要求する情報であるリクエスト情報を携帯電話会社２００に送信する。
【００４０】
携帯電話会社２００は、前記リクエスト情報を受信すると、リクエスト情報を前記チャンネル番号で特定されるデジタル放送局３００に転送する。デジタル放送局３００は前記リクエスト情報を受信すると、コンテンツ番号で特定されるコンテンツをコンテンツデータベース３０１から探索し、探索したコンテンツを携帯電話１００に配信する。
【００４１】
（実施の形態１の動作）
ここから、図１で示した実施の形態に係わるデジタル放送受信方法の手順について説明する。実施の形態に係わるデジタル放送方法の最初のステップは、携帯電話１００がデジタル放送のデータ放送で配信されるＥＰＧを受信するステップである（ステップＳ１００）。ステップＳ１００がコンテンツ案内情報受信ステップである。
【００４２】
次のステップは、携帯電話１００に備えられた位置検出手段１０１がＧＰＳ人工衛星４００の信号を利用して、携帯電話１００自身の位置情報を計測するステップである（ステップＳ１１０）。
【００４３】
次に、携帯電話１００に備えられたリーダライタ１０４は、ＵＩＭ１１０に実装されたコンテンツ選択アプリケーション１２０を選択した後、受信したＥＰＧと計測した位置情報を、携帯電話１００の内部に組み込まれたＵＩＭ１１０に伝送する（ステップＳ１２０）。
【００４４】
次に、ＵＩＭ１１０に備えられたコンテンツ選択アプリケーション１２０は、地域コードファイル１３１から伝送された位置情報に該当する地域コードを取得し（ステップＳ１３０）、ジャンルコードファイル１３２からジャンルコードを取得する（ステップＳ１４０）。
【００４５】
次に、ＵＩＭ１１０に備えられたコンテンツ選択アプリケーション１２０は、ステップＳ１３０で取得した地域コードと、ステップＳ１４０で取得したジャンルコードとそれぞれ一致するデータを含むコンテンツ情報５１０をＥＰＧから探索する（ステップＳ１５０）。ステップＳ１１０からステップＳ１５０がコンテンツ選択ステップである。
【００４６】
前記コンテンツ情報５１０がＥＰＧにあった場合は、ステップＳ１７０に進み、ＥＰＧに前記コンテンツ情報５１０がなかった場合はステップＳ２１０に進む（ステップＳ１６０）。
【００４７】
ステップＳ１７０では、コンテンツ選択アプリケーション１２０は、前記２つのコードと一致するコンテンツ情報５１０に含まれるチャンネル番号とコンテンツ番号をリーダライタ１０４に伝送し、携帯電話１００は、ＵＩＭ１１０から伝送されたチャンネル番号とコンテンツ番号とを含むリクエスト情報を携帯電話会社２００に送信する。
【００４８】
ステップＳ１８０では、携帯電話会社２００は、リクエスト情報に含まれるチャンネル番号で特定されるデジタル放送局３００に、チャンネル番号と前記コンテンツ番号を含むリクエスト情報を転送する（ステップＳ１８０）。ステップＳ１７０からステップＳ１８０がコンテンツ要求情報送信ステップである。
【００４９】
デジタル放送局３００では転送されたリクエスト情報に対応するコンテンツ情報をデジタル放送タワー３１０を利用して配信する（ステップＳ１９０）。そして、携帯電話１００は配信されたリクエスト情報に対応するコンテンツ情報を受信する（ステップＳ２００）。ステップＳ１９０からステップＳ２００がコンテンツ配信ステップである。
【００５０】
ステップＳ１６０でコンテンツ情報５１０がＥＰＧにない場合は、コンテンツ選択アプリケーション１２０は携帯電話１００に該当するコンテンツがＥＰＧにないことを示すデータを伝送し、携帯電話１００はその旨を視聴者に伝え、デジタル放送を受信する処理を終了する（ステップＳ２１０）。
【図面の簡単な説明】
【００５１】
【図１】デジタル放送受信システムの説明図。
【図２】ＥＰＧに含まれるデータの説明図。
【図３】ＵＩＭの説明図。
【図４】ＵＩＭのソフトウェア構造の説明図。
【図５】ＵＩＭに記憶されるデータの説明図。
【図６】デジタル放送受信方法の手順を示したフロー図。
【符号の説明】
【００５２】
１００  携帯電話
１０１  位置検出手段
１１０  ＵＩＭ
１２０  コンテンツ選択アプリケーション
１３０  コンテンツ選択条件
１３１  地域コードファイル
１３２  ジャンルコードファイル
２００  携帯電話会社
３００  デジタル放送局
４００  ＧＰＳ人工衛星
【図１】
2006019924.tif 000003
【図２】
2006019924.tif 000004
【図３】
2006019924.tif 000005
【図４】
2006019924.tif 000006
【図５】
2006019924.tif 000007
【図６】
2006019924.tif 000008